(57)【要約】【課題】表示されている画像の画角とは異なる画角の画像を撮影するための操作を容易にし、それらの画像を記憶する。【解決手段】撮像制御装置１００が、撮像部２００が撮像している画像を表示部３００に表示させ、撮像部２００が撮像している画像から特定の被写体を判別し、判別の結果に基づいて、表示部３００にガイド表示を表示させ、ガイド表示を変更させるための所定の操作に応じて、ガイド表示のサイズと位置との少なくとも一方を変更し、画像を取り込むための所定の操作を受け付けたとき、表示部３００が表示している第１の画像と、ガイド表示に囲まれた第２の画像とを記憶部４００に記憶させる。【選択図】図１
2014236405.tif 000002
【特許請求の範囲】
【請求項１】
撮像部が撮像している画像を表示部に表示させる表示制御部と、
前記撮像部が撮像している画像から特定の被写体を判別する被写体判別部と、
前記被写体判別部における判別の結果に基づいて、前記表示部にガイド表示を表示させるガイド表示部と、
前記ガイド表示を変更させるための所定の操作に応じて、前記ガイド表示のサイズと位置との少なくとも一方を変更するガイド表示変更部と、
前記画像を取り込むための所定の操作を受け付けたとき、前記表示部が表示している第１の画像と、前記ガイド表示に囲まれた第２の画像とを記憶部に記憶させる画像取り込み部とを有する撮像制御装置。
【請求項２】
請求項１に記載の撮像制御装置において、
前記ガイド表示部は、前記ガイド表示変更部が前記ガイド表示のサイズを変更した場合、該変更後のサイズを示すサイズ情報を前記表示部に表示させる撮像制御装置。
【請求項３】
請求項２に記載の撮像制御装置において、
前記ガイド表示部は、前記サイズ情報を、前記サイズを変更した後、所定の時間、前記表示部に表示させる撮像制御装置。
【請求項４】
請求項１から３のいずれか１項に記載の撮像制御装置において、
前記表示部がタッチパネル機能を具備している場合、前記表示制御部は、前記画像を取り込むための操作を受け付けるシャッターボタン表示を前記表示部に表示させる撮像制御装置。
【請求項５】
請求項１から４のいずれか１項に記載の撮像制御装置において、
前記被写体判別部は、顔認識機能を用いて前記被写体を判別する撮像制御装置。
【請求項６】
撮像部が撮像している画像を表示部に表示させる処理と、
前記撮像部が撮像している画像から特定の被写体を判別する処理と、
前記判別の結果に基づいて、前記表示部にガイド表示を表示させる処理と、
前記ガイド表示を変更させるための所定の操作に応じて、前記ガイド表示のサイズと位置との少なくとも一方を変更する処理と、
前記画像を取り込むための所定の操作を受け付けたとき、前記表示部が表示している第１の画像と、前記ガイド表示に囲まれた第２の画像とを記憶部に記憶させる処理とを行う撮像制御方法。
【請求項７】
コンピュータに、
撮像部が撮像している画像を表示部に表示させる手順と、
前記撮像部が撮像している画像から特定の被写体を判別する手順と、
前記判別の結果に基づいて、前記表示部にガイド表示を表示させる手順と、
前記ガイド表示を変更させるための所定の操作に応じて、前記ガイド表示のサイズと位置との少なくとも一方を変更する手順と、
前記画像を取り込むための所定の操作を受け付けたとき、前記表示部が表示している第１の画像と、前記ガイド表示に囲まれた第２の画像とを記憶部に記憶させる手順とを実行させるためのプログラム。
【請求項８】
撮像部と、
表示部と、
記憶部と、
前記撮像部が撮像している画像を前記表示部に表示させる表示制御部と、
前記撮像部が撮像している画像から特定の被写体を判別する被写体判別部と、
前記被写体判別部における判別の結果に基づいて、前記表示部にガイド表示を表示させるガイド表示部と、
前記ガイド表示を変更させるための所定の操作に応じて、前記ガイド表示のサイズと位置との少なくとも一方を変更するガイド表示変更部と、
前記画像を取り込むための所定の操作を受け付けたとき、前記表示部が表示している第１の画像と、前記ガイド表示に囲まれた第２の画像とを前記記憶部に記憶させる画像取り込み部とを有する電子機器。
【発明の詳細な説明】
【技術分野】
【０００１】
本発明は、撮像を制御する撮像制御装置、撮像制御方法およびそのプログラムならびに電子機器に関する。
【背景技術】
【０００２】
近年、携帯端末やデジタルカメラ等に具備されているカメラ機能では、撮影した画像のさまざまな用途を想定し、複数の撮影サイズが用意されている。この撮影サイズは、画素数の点だけでなく、画角も用途に合わせて最適化されている場合が多く、デジタルカメラの基本である４：３以外にもさまざまな画角がある。例えば、アドレス帳やＳＮＳ（Ｓｏｃｉａｌ  Ｎｅｔｗｏｒｋｉｎｇ  Ｓｅｒｖｉｃｅ）のタイムラインの画像であれば１：１、ディスプレイの壁紙であればそのディスプレイのサイズに合わせた撮影サイズとなっている。
【０００３】
撮影を行う利用者は、用意されている撮影サイズから用途に合ったものを選択して、撮影を行う必要がある。カメラ起動時の撮影サイズは、利用者が通常利用するサイズとなっており、多くの場合は、利用者が前回選択した撮影サイズをカメラが記憶しており、その記憶された撮影サイズがカメラ起動時の撮影サイズとなっている。このため、撮影した画像を通常時とは異なる用途で利用したい場合は、所定の操作を行って撮影サイズを切り替える必要がある。例えば、特定の撮影シーンにおいて、通常の用途と通常とは異なる用途との両方で画像を記録したい場合、用途ごとに撮影サイズを切り替えて複数回の撮影を行う必要がある。しかし、複数回の撮影を行うと、いずれかの撮影の時に、シャッターチャンスを逃してしまうおそれがある。
【０００４】
また、特定の撮影サイズで撮影後に、利用者が撮影した画像に対してリサイズやトリミングなどの画像編集処理を行う方法もある。しかしながら、撮影時にトリミングをイメージしていないケースが多いため、画像編集の手間がかかる上に、思うような画像が得られないおそれがある。
【０００５】
そこで、１つのシーンについて、画角の異なる複数の画像を同時に撮影する技術が開示されている（例えば、特許文献１参照。）。この技術を用いれば、ライブビュー画面として表示されている画像と、撮影者の指示に応じて指定されたサイズおよび位置に表示されている画像とを同時に撮影（記憶）することが可能となる。
【先行技術文献】
【特許文献】
【０００６】
【特許文献１】特開２００７−２５９１５５号公報
【発明の概要】
【発明が解決しようとする課題】
【０００７】
特許文献１に開示されたような技術においては、ライブビュー画面として表示されている画像の画角とは異なる画角の画像を指定するために、被写体の位置を指定しなければならなく、その手間がかかってしまうという問題点がある。
【０００８】
本発明の目的は、前述した課題を解決する撮像制御装置、撮像制御方法およびそのプログラムならびに電子機器を提供することである。
【課題を解決するための手段】
【０００９】
本発明の撮像制御装置は、
撮像部が撮像している画像を表示部に表示させる表示制御部と、
前記撮像部が撮像している画像から特定の被写体を判別する被写体判別部と、
前記被写体判別部における判別の結果に基づいて、前記表示部にガイド表示を表示させるガイド表示部と、
前記ガイド表示を変更させるための所定の操作に応じて、前記ガイド表示のサイズと位置との少なくとも一方を変更するガイド表示変更部と、
前記画像を取り込むための所定の操作を受け付けたとき、前記表示部が表示している第１の画像と、前記ガイド表示に囲まれた第２の画像とを記憶部に記憶させる画像取り込み部とを有する。
【００１０】
また、本発明の撮像制御方法は、
撮像部が撮像している画像を表示部に表示させる処理と、
前記撮像部が撮像している画像から特定の被写体を判別する処理と、
前記判別の結果に基づいて、前記表示部にガイド表示を表示させる処理と、
前記ガイド表示を変更させるための所定の操作に応じて、前記ガイド表示のサイズと位置との少なくとも一方を変更する処理と、
前記画像を取り込むための所定の操作を受け付けたとき、前記表示部が表示している第１の画像と、前記ガイド表示に囲まれた第２の画像とを記憶部に記憶させる処理とを行う。
【００１１】
また、本発明のプログラムは、
コンピュータに実行させるためのプログラムであって、
撮像部が撮像している画像を表示部に表示させる手順と、
前記撮像部が撮像している画像から特定の被写体を判別する手順と、
前記判別の結果に基づいて、前記表示部にガイド表示を表示させる手順と、
前記ガイド表示を変更させるための所定の操作に応じて、前記ガイド表示のサイズと位置との少なくとも一方を変更する手順と、
前記画像を取り込むための所定の操作を受け付けたとき、前記表示部が表示している第１の画像と、前記ガイド表示に囲まれた第２の画像とを記憶部に記憶させる手順とを実行させる。
【００１２】
また、本発明の電子機器は、
撮像部と、
表示部と、
記憶部と、
前記撮像部が撮像している画像を前記表示部に表示させる表示制御部と、
前記撮像部が撮像している画像から特定の被写体を判別する被写体判別部と、
前記被写体判別部における判別の結果に基づいて、前記表示部にガイド表示を表示させるガイド表示部と、
前記ガイド表示を変更させるための所定の操作に応じて、前記ガイド表示のサイズと位置との少なくとも一方を変更するガイド表示変更部と、
前記画像を取り込むための所定の操作を受け付けたとき、前記表示部が表示している第１の画像と、前記ガイド表示に囲まれた第２の画像とを前記記憶部に記憶させる画像取り込み部とを有する。
【発明の効果】
【００１３】
以上説明したように、本発明においては、表示されている画像の画角とは異なる画角の画像を撮影するための操作を容易にし、それらの画像を記憶することができる。
【図面の簡単な説明】
【００１４】
【図１】本発明の電子機器の第１の実施の形態を示す図である。
【図２】図１に示した撮像制御装置の内部構成の一例を示す図である。
【図３】図１に示した電子機器における撮像制御方法を説明するためのフローチャートである。
【図４】図１に示した表示部に表示されたライブビュー画面の一例を示す図である。
【図５】図１に示した表示部に表示されたガイド表示の一例を示す図である。
【図６Ａ】図１に示した表示部に接触させている指を移動させたときにガイド表示の表示位置が移動する様子の一例を示す図である。
【図６Ｂ】図１に示した表示部に接触させている２本の指の間隔を広げたときにガイド表示の表示サイズが大きくなる様子の一例を示す図である。
【図７】図１に示した電子機器が画像を取り込むための操作を受け付けたと画像取り込み部が判定したときに、表示部が表示している画像の一例を示す図である。
【図８Ａ】図１に示した表示部が表示している画像が、図７に示した画像である場合、画像取り込み部が記憶部に書き込む主画像の一例を示す図である。
【図８Ｂ】図１に示した表示部が表示している画像が、図７に示した画像である場合、画像取り込み部が記憶部に書き込む副画像の一例を示す図である。
【図９】本発明の電子機器の第２の実施の形態を示す図である。
【図１０】図９に示した撮像制御装置の内部構成の一例を示す図である。
【図１１】図９に示した電子機器における撮像制御方法を説明するためのフローチャートである。
【図１２】サイズ情報が表示されたときの表示部における表示画面の一例を示す図である。
【図１３】ガイド表示が表示された表示部における表示画面の一例を示す図である。
【図１４】ガイド表示が表示された表示部における表示画面の他の例を示す図である。
【図１５】本発明の電子機器の第３の実施の形態を示す図である。
【図１６】図１５に示した撮像制御装置の内部構成の一例を示す図である。
【図１７】図１５に示した電子機器における撮像制御方法を説明するためのフローチャートである。
【図１８】図１６に示した画像切り出し部が切り出した複数の画像が表示部に表示された様子の一例を示す図である。
【図１９】図１６に示した画像切り出し部が切り出した複数の画像が表示部に表示された様子の他の例を示す図である。
【発明を実施するための形態】
【００１５】
以下に、本発明の実施の形態について図面を参照して説明する。
（第１の実施の形態）
図１は、本発明の電子機器の第１の実施の形態を示す図である。
【００１６】
本形態における電子機器１０には図１に示すように、撮像制御装置１００と、撮像部２００と、表示部３００と、記憶部４００とが設けられている。なお、図１には、電子機器１０に設けられた構成要素のうち、本実施の形態に関わる主要な構成要素の一例を示す。
【００１７】
撮像部２００は、撮像機能（カメラ機能）を具備する。
【００１８】
表示部３００は、撮像制御装置１００からの指示に従って情報を表示するＬＣＤ（Ｌｉｑｕｉｄ  Ｃｒｙｓｔａｌ  Ｄｉｓｐｌａｙ）等のディスプレイである。
【００１９】
記憶部４００は、撮像制御装置１００から書き込まれる画像を記憶する。
【００２０】
図２は、図１に示した撮像制御装置１００の内部構成の一例を示す図である。
【００２１】
図１に示した撮像制御装置１００には図２に示すように、表示制御部１１０と、被写体判別部１２０と、ガイド表示部１３０と、ガイド表示変更部１４０と、画像取り込み部１５０とが設けられている。なお、図２には、図１に示した撮像制御装置１００に設けられた構成要素のうち、本実施の形態に関わる主要な構成要素の一例を示す。
【００２２】
表示制御部１１０は、表示部３００の表示を制御する。また、表示制御部１１０は、撮像部２００が撮像している画像を、ライブビュー画面として表示部３００に表示させる。また、表示制御部１１０は、表示部３００がタッチパネル機能を具備している場合、シャッターボタンや、その他、表示部３００の表示を制御するためのアイコン等を表示部３００に表示させる。
【００２３】
被写体判別部１２０は、撮像部２００が撮像している画像から特定の被写体を判別する。例えば、被写体判別部１２０は、顔認識機能等の被写体認識機能を有し、当該被写体認識機能を用いて被写体を判別する。
【００２４】
ガイド表示部１３０は、被写体判別部１２０における判別の結果に基づいて、表示部３００にガイド表示を表示させる。このガイド表示は、被写体判別部１２０が判別した被写体を囲む多角形や円形の枠（実線や破線、所定の色を施した線）の表示であっても良いし、被写体判別部１２０が判別した被写体を囲む方形の四隅を示す表示であっても良い。また、ガイド表示を、被写体判別部１２０が判別した被写体を含む所定の領域の縁とした場合、その縁に囲まれた内側の色をその縁の外側の色と異なる表示とするものであっても良い。つまり、ガイド表示は、撮影を行っている者が、その領域の画角を認識することができる表示であれば良い。
【００２５】
ガイド表示変更部１４０は、ガイド表示を変更させるための所定の操作に応じて、ガイド表示のサイズと位置との少なくとも一方を変更する。この操作については、後述する。
【００２６】
画像取り込み部１５０は、画像を取り込むための所定の操作を受け付けたとき、表示部３００が表示している第１の画像（以下、主画像と称する）と、ガイド表示に囲まれた第２の画像（以下、副画像と称する）とを記憶部４００に記憶させる。画像を取り込むための所定の操作は、例えば、一般的なシャッターボタンを押下すること操作や、表示部３００がタッチパネル機能を具備しており、表示制御部１１０がシャッターボタンを表示部３００に表示させている場合、表示されているシャッターボタンへ指等を接触（近接）させる操作である。
【００２７】
以下に、本形態における撮像制御方法について説明する。
【００２８】
図３は、図１に示した電子機器１０における撮像制御方法を説明するためのフローチャートである。
【００２９】
まず、電子機器１０を操作する利用者が所定の操作を行うことで、撮像部２００が起動すると（ステップＳ１）、撮像部２００が撮像している画像を表示制御部１１０が表示部３００にライブビュー画面として表示させる（ステップＳ２）。この撮像部２００を起動させる操作は、電子機器１０がカメラである場合、電子機器１０の電源を投入する操作であっても良いし、電子機器１０がカメラ機能付き携帯端末である場合、当該カメラ機能を起動させる操作であっても良い。
【００３０】
図４は、図１に示した表示部３００に表示されたライブビュー画面の一例を示す図である。
【００３１】
図４に示すように表示部３００には、撮像部２００が撮像している画像がライブビュー画面として表示される。
【００３２】
また、被写体判別部１２０が、撮像部２００が撮像している画像から特定の被写体を判別する（ステップＳ３）。すると、ガイド表示部１３０は、被写体判別部１２０が行った判別結果に基づいて、表示部３００にガイド表示を表示させる（ステップＳ４）。
【００３３】
図５は、図１に示した表示部３００に表示されたガイド表示の一例を示す図である。
【００３４】
図５に示すように表示部３００には、表示されているライブビュー画像に重畳して、被写体判別部１２０が判別した被写体を囲む破線で、ガイド表示５００が表示される。ここで、被写体判別部１２０が所定の周期で被写体の判別を行うことで、被写体判別部１２０が行う被写体判別処理は、被写体を自動追従しているような処理となる。そのため、ガイド表示５００は、被写体が動いた場合、その動きに応じて移動する。
【００３５】
なお、ガイド表示部１３０が表示部３００にガイド表示を表示させるタイミングは、撮像者が表示部３００へ指を接触（近接）させたことを表示部３００が検知したとき等、あらかじめ設定された操作が行われたタイミングであっても良い。
【００３６】
ガイド表示が表示された後、ガイド表示変更部１４０は、ガイド表示を変更させるための所定の操作があったかどうかを判定する（ステップＳ５）。この操作は、例えば、電子機器１０の表示部３００以外の部分に設けられている、上下左右へカーソル等を移動させるためのキーの操作や、ズーム機能を用いて画像をズームさせるためのスイッチの操作であっても良い。また、この操作は、表示部３００がタッチパネル機能を具備している場合、指等を表示部３００に接触（近接）させて移動させる操作や、表示部３００に接触（近接）させた２本の指等の間隔を広げるまたは狭める操作であっても良い。
【００３７】
ガイド表示変更部１４０は、ガイド表示を変更させるための所定の操作があったと判定した場合、当該操作に応じて、ガイド表示の表示サイズまたは表示位置を変更する（ステップＳ６）。
【００３８】
図６Ａは、図１に示した表示部３００に接触させている指を移動させたときにガイド表示５００の表示位置が移動する様子の一例を示す図である。
【００３９】
図６Ａに示すように、表示されているガイド表示５００が、表示部３００に接触させている指の移動にともなって移動する。これは、タッチパネル機能を具備した表示部３００からの接触（近接）の検知結果に基づいて、ガイド表示変更部１４０がガイド表示５００の表示位置を変更するものである。
【００４０】
図６Ｂは、図１に示した表示部３００に接触させている２本の指の間隔を広げたときにガイド表示５００の表示サイズが大きくなる様子の一例を示す図である。
【００４１】
図６Ｂに示すように、表示されているガイド表示５００のサイズが、２本の指の間隔の拡大にともなって拡大する。これは、タッチパネル機能を具備した表示部３００からの接触（近接）の検知結果に基づいて、ガイド表示変更部１４０がガイド表示５００の表示サイズを変更するものである。一方、表示部３００に接触している２本の指の間隔が縮小すれば、表示されているガイド表示５００のサイズが縮小される。
【００４２】
また、ガイド表示変更部１４０は、ガイド表示部分へのタップ操作等、他のあらかじめ設定されている操作に応じて、ガイド表示の表示サイズまたは表示位置を変更するものであっても良い。
【００４３】
その後、画像取り込み部１５０は、電子機器１０が画像を取り込むための所定の操作を受け付けたかどうかを判定する（ステップＳ７）。例えば、画像取り込み部１５０は、前述したようなシャッターボタンが押下されたかどうかを判定する。
【００４４】
画像取り込み部１５０は、当該操作を受け付けたと判定した場合、表示部３００が表示しているライブビュー画面の主画像と、ガイド表示に囲まれた副画像とを記憶部４００に書き込んで記憶させる（ステップＳ８）。
【００４５】
図７は、図１に示した電子機器１０が画像を取り込むための操作を受け付けたと画像取り込み部１５０が判定したときに、表示部３００が表示している画像の一例を示す図である。
【００４６】
図７に示すように、表示部３００には撮像部２００が撮像している画像がライブビュー画面として表示され、それに重畳してガイド表示５００が表示されている。
【００４７】
図８Ａは、図１に示した表示部３００が表示している画像が、図７に示した画像である場合、画像取り込み部１５０が記憶部４００に書き込む主画像の一例を示す図である。
【００４８】
表示部３００が表示している画像が、図７に示した画像である場合に、電子機器１０が画像を取り込むための操作を受け付けたと画像取り込み部１５０が判定すると、画像取り込み部１５０が記憶部４００に書き込む主画像は、図８Ａに示すように表示部３００に表示されているライブビュー画面の画像となる。
【００４９】
図８Ｂは、図１に示した表示部３００が表示している画像が、図７に示した画像である場合、画像取り込み部１５０が記憶部４００に書き込む副画像の一例を示す図である。
【００５０】
表示部３００が表示している画像が、図７に示した画像である場合に、電子機器１０が画像を取り込むための操作を受け付けたと画像取り込み部１５０が判定すると、画像取り込み部１５０が記憶部４００に書き込む副画像は、図８Ｂに示すように表示部３００に表示されているガイド表示５００に囲まれた画像となる。
【００５１】
一方、ガイド表示変更部１４０が、ガイド表示を変更させるための所定の操作があったと判定しないまま（ステップＳ５のＮｏ）、電子機器１０が画像を取り込むための操作を受け付けたと画像取り込み部１５０が判定した場合は（ステップＳ７のＹｅｓ）、ステップＳ６のガイド表示の変更は行われず、ステップＳ８の画像の記憶処理が行われる。
【００５２】
また、ステップＳ７にて、電子機器１０が画像を取り込むための操作を受け付けたと画像取り込み部１５０が判定しなかった場合は、ステップＳ５の処理が行われる。
【００５３】
なお、被写体判別部１２０が複数の被写体を判別した場合、ガイド表示部１３０は、当該複数の被写体に応じた複数のガイド表示を表示部３００に表示させ、それぞれのガイド表示に対する操作に応じて、ガイド表示変更部１４０がガイド表示のサイズや位置を変更するものであっても良い。この場合、画像取り込み部１５０は、副画像として当該複数のガイド表示にそれぞれ囲まれた複数の画像を記憶部４００に記憶させるものであっても良いし、撮像者が所定の操作を行うことで、それらのうち選択された画像を記憶部４００に記憶させるものであっても良い。
【００５４】
このように、カメラ撮影時のライブビュー画面に、同時撮影する撮影サイズのガイド表示を重畳して表示させることで、同時に記録される被写体部分を視覚的に認識することが可能となる。また、ガイド表示の位置をタッチ操作やキー操作で移動可能とすることで、ライブビュー画面を見ながら、同時撮影したい被写体部分を適切な範囲に指定することが可能となる。また、ガイド表示の大きさをタッチ操作やキー操作で拡大縮小することで、ライブビュー画面を見ながら、同時撮影したい撮影サイズを適切な大きさに指定することが可能となる。また、主画像の撮影サイズを変更せずに、他の用途の撮影サイズの設定を行うことを可能とすることで、次回カメラ起動時の主画像の撮影サイズの設定値を維持することが可能となる。
【００５５】
なお、ここでの「同時撮影」とは、一度の電子機器１０が画像を取り込むための操作（以下、シャッター操作と称する）で、互いに異なる画角の画像を撮影することを示す。また、本形態は、同時撮影に限らず、連続したシャッター操作をした場合にも適用可能である。以下の説明についても同様である。
（第２の実施の形態）
図９は、本発明の電子機器の第２の実施の形態を示す図である。
【００５６】
本形態における電子機器１１には図１に示すように、撮像制御装置１０１と、撮像部２００と、表示部３００と、記憶部４００とが設けられている。なお、図９には、電子機器１１に設けられた構成要素のうち、本実施の形態に関わる主要な構成要素の一例を示す。
【００５７】
撮像部２００、表示部３００および記憶部４００は、図１に示したものと同じものである。
【００５８】
図１０は、図９に示した撮像制御装置１０１の内部構成の一例を示す図である。
【００５９】
図９に示した撮像制御装置１０１には図１０に示すように、表示制御部１１１と、被写体判別部１２０と、ガイド表示部１３１と、ガイド表示変更部１４０と、画像取り込み部１５１とが設けられている。なお、図１０には、図９に示した撮像制御装置１０１に設けられた構成要素のうち、本実施の形態に関わる主要な構成要素の一例を示す。
【００６０】
被写体判別部１２０およびガイド表示変更部１４０は、図２に示したものと同じものである。
【００６１】
表示制御部１１１は、図２に示した表示制御部１１０が具備する機能に加えて、表示部３００にガイド表示が表示されている場合、シャッターボタン表示を第２の画像（副画像）の中に表示させる。
【００６２】
ガイド表示部１３１は、図２に示したガイド表示部１３０が具備する機能に加えて、ガイド表示変更部１４０がガイド表示のサイズを変更した場合、変更後のサイズを示すサイズ情報を表示部３００に表示させる。このとき、ガイド表示部１３１は、サイズ情報を、サイズを変更した後、所定の時間、表示部３００に表示させるものであっても良い。
【００６３】
画像取り込み部１５１は、図２に示した画像取り込み部１５０が具備する、主画像と副画像との双方を記憶部４００に記憶させる機能に加えて、所定の操作があった場合、主画像のみを記憶部４００に記憶させる機能も有する。
【００６４】
以下に、本形態における撮像制御方法について説明する。
【００６５】
図１１は、図９に示した電子機器１１における撮像制御方法を説明するためのフローチャートである。
【００６６】
まず、電子機器１１を操作する利用者が所定の操作を行うことで、撮像部２００が起動すると（ステップＳ１１）、撮像部２００が撮像している画像を表示制御部１１１が表示部３００にライブビュー画面として表示させる（ステップＳ１２）。この撮像部２００を起動させる操作は、電子機器１１がカメラである場合、電子機器１１の電源を投入する操作であっても良いし、電子機器１１がカメラ機能付き携帯端末である場合、当該カメラ機能を起動させる操作であっても良い。
【００６７】
その後、同時撮影が設定されたかどうかを撮像制御装置１０１が判定する（ステップＳ１３）。例えば、撮像者が電子機器１１を操作することで、表示制御部１１１が表示部３００にメニュー画面を表示させ、表示されたメニュー画面にしたがって撮像者が同時撮影を設定する操作を行ったかどうかに基づいて、撮像制御装置１０１は同時撮影が設定されたかどうかを判定するもので良い。
【００６８】
同時撮影が設定されたと撮像制御装置１０１が判定した場合、被写体判別部１２０は、撮像部２００が撮像している画像から特定の被写体を判別する（ステップＳ１４）。すると、ガイド表示部１３１は、被写体判別部１２０が行った判別結果に基づいて、表示部３００にガイド表示を表示させる（ステップＳ１５）。ガイド表示の表示態様は、第１の実施の形態におけるものと同じである。また、ガイド表示部１３１が表示部３００にガイド表示を表示させるタイミングは、第１の実施の形態におけるものと同じで良い。
【００６９】
ガイド表示が表示された後、ガイド表示変更部１４０は、ガイド表示を変更させるための所定の操作があったかどうかを判定する（ステップＳ１６）。この操作は、第１の実施の形態における操作と同じ操作で良い。
【００７０】
ガイド表示変更部１４０は、ガイド表示を変更させるための所定の操作があったと判定した場合、当該操作に応じて、ガイド表示の表示サイズまたは表示位置を変更する（ステップＳ１７）。このとき、ガイド表示部１３１は、変更後のサイズを示すサイズ情報を表示部３００に表示させる。前述したように、ガイド表示部１３１は、サイズ情報を、サイズを変更した後、所定の時間、表示部３００に表示させるものであっても良い。
【００７１】
図１２は、サイズ情報が表示されたときの表示部３００における表示画面の一例を示す図である。
【００７２】
図１２に示すように、ガイド表示５００の近傍に、そのガイド表示５００の変更後のサイズを示すサイズ情報５１０が表示される。
【００７３】
その後、画像取り込み部１５１は、電子機器１１が画像を取り込むための所定の操作を受け付けたかどうかを判定する（ステップＳ１８）。例えば、画像取り込み部１５１は、前述したようなシャッターボタンが押下されたかどうかを判定する。
【００７４】
図１３は、ガイド表示が表示された表示部３００における表示画面の一例を示す図である。
【００７５】
図１３に示すように、表示部３００には、ガイド表示５００とともに、ズーム操作アイコン５２０、シャッターアイコン５３０および設定アイコン５４０が表示される。なお、このときの表示部３００はタッチパネル機能を具備していることが前提である。ズーム操作アイコン５２０への接触（近接）が検知されると、表示されている画像がズームアップされたり、ズームバックされたりして表示される。また、シャッターアイコン５３０への接触（近接）が検知されると、画像取り込み部１５１が画像を記憶部４００に記憶させる。また、設定アイコン５４０への接触（近接）が検知されると、電子機器１１への様々な設定を行うための画面が表示される。
【００７６】
画像取り込み部１５０は、当該操作を受け付けたと判定した場合、当該操作から記憶画像の指示を判定する（ステップＳ１９）。当該指示が主画像と副画像との双方を記憶する指示であると画像取り込み部１５１が判定した場合、画像取り込み部１５１は、表示部３００が表示しているライブビュー画面の主画像と、ガイド表示に囲まれた副画像とを記憶部４００に書き込んで記憶させる（ステップＳ２０）。一方、当該指示が主画像のみを記憶する指示であると画像取り込み部１５１が判定した場合、画像取り込み部１５１は、表示部３００が表示しているライブビュー画面の主画像を記憶部４００に書き込んで記憶させる（ステップＳ２１）。この指示について、説明する。
【００７７】
図１４は、ガイド表示が表示された表示部３００における表示画面の他の例を示す図である。
【００７８】
図１４に示すように、図１３に示した表示内容に加えて、ガイド表示５００の枠内、つまり、副画像となる画像の中にシャッターアイコン５３１が表示されている。この場合、シャッターアイコン５３０への接触（近接）が検知されると、画像取り込み部１５１は、主画像のみを記憶する指示であると判定する。一方、シャッターアイコン５３１への接触（近接）が検知されると、画像取り込み部１５１は、主画像と副画像との双方を記憶する指示する指示であると判定する。
【００７９】
一方、ステップＳ１３にて、同時撮影が設定されていないと撮像制御装置１０１が判定した場合、ステップＳ１８の処理が行われる。
【００８０】
また、ガイド表示変更部１４０が、ガイド表示を変更させるための所定の操作があったと判定しないまま（ステップＳ１６のＮｏ）、電子機器１１が画像を取り込むための操作を受け付けたと画像取り込み部１５１が判定した場合は（ステップＳ１８のＹｅｓ）、ステップＳ１７のガイド表示の変更は行われず、ステップＳ１９の指示の判定処理が行われる。
【００８１】
また、ステップＳ１８にて、電子機器１１が画像を取り込むための操作を受け付けたと画像取り込み部１５１が判定しなかった場合は、ステップＳ１３の処理が行われる。
【００８２】
なお、被写体判別部１２０が複数の被写体を判別した場合、第１の実施の形態で説明した処理を行うものであっても良い。
【００８３】
このように、第２の実施の形態においては、第１の実施の形態における効果に加えて、ガイド表示変更部１４０がガイド表示のサイズを変更した場合、変更後のサイズを示すサイズ情報を表示部３００に表示させることで、撮像者が副画像のサイズの変更を認識することができる。また、図１４を用いて説明したように、複数のシャッターアイコンを表示させることで、主画像と副画像との双方を記憶させるか、主画像のみを記憶させるかを選択することができる。
（第３の実施の形態）
図１５は、本発明の電子機器の第３の実施の形態を示す図である。
【００８４】
本形態における電子機器１２には図１５に示すように、撮像制御装置１０２と、撮像部２００と、表示部３００と、記憶部４００とが設けられている。なお、図１５には、電子機器１２に設けられた構成要素のうち、本実施の形態に関わる主要な構成要素の一例を示す。
【００８５】
撮像部２００、表示部３００および記憶部４００は、図１に示したものと同じものである。
【００８６】
図１６は、図１５に示した撮像制御装置１０２の内部構成の一例を示す図である。
【００８７】
図１５に示した撮像制御装置１０２には図１６に示すように、表示制御部１１２と、画像切り出し部１６０と、画像取り込み部１５２とが設けられている。なお、図１６には、図１５に示した撮像制御装置１０２に設けられた構成要素のうち、本実施の形態に関わる主要な構成要素の一例を示す。
【００８８】
画像切り出し部１６０は、撮像部２００が撮像している画像から、表示範囲が互いに異なる複数の画像を切り出す。例えば、画像切り出し部１６０は、撮像部２００が撮像している画像を、所定のサイズの６つの画像に分割するものでも良い。このとき、分割された６つの画像には、互いに重複する領域が含まれるものであっても良い。また、画像切り出し部１６０は、被写体認識機能を具備し、判別した被写体を含む互いに画角の異なる複数の画像を、撮像部２００が撮像している画像から切り出すものであっても良い。
【００８９】
表示制御部１１２は、表示部３００の表示を制御する。また、表示制御部１１２は、画像切り出し部１６０が切り出した複数の画像を表示部３００に表示させる。
【００９０】
画像取り込み部１５２は、画像を取り込むための所定の操作を受け付けたとき、表示部３００に表示された複数の画像のうち、所定の操作に応じて選択された画像を記憶部４００に記憶させる。
【００９１】
以下に、本形態における撮像制御方法について説明する。
【００９２】
図１７は、図１５に示した電子機器１２における撮像制御方法を説明するためのフローチャートである。
【００９３】
まず、電子機器１２を操作する利用者が所定の操作を行うことで、撮像部２００が起動すると（ステップＳ３１）、画像切り出し部１６０は、撮像部２００が撮像している画像から、表示範囲が互いに異なる複数の画像を切り出す（ステップＳ３２）。画像切り出し部１６０が切り出す画像の単位（サイズや範囲）は、あらかじめ設定されているものや、画像切り出し部１６０が被写体認識を行った結果に基づくもので良い。また、この撮像部２００を起動させる操作は、電子機器１２がカメラである場合、電子機器１２の電源を投入する操作であっても良いし、電子機器１２がカメラ機能付き携帯端末である場合、当該カメラ機能を起動させる操作であっても良い。
【００９４】
すると、表示制御部１１２は、画像切り出し部１６０が切り出した複数の画像を表示部３００に表示させる（ステップＳ３３）。このとき、表示制御部１１２は、撮像部２００が撮像している画像も、表示部３００にライブビュー画面として表示させるものであっても良い。例えば、表示部３００が、物理的に分離されている複数のディスプレイから構成される場合、表示制御部１１２は、撮像部２００が撮像している画像をライブビュー画面として１つのディスプレイに表示させ、画像切り出し部１６０が切り出した複数の画像を他のディスプレイに表示させるものであっても良い。また、表示制御部１１２が、１つのディスプレイに、撮像部２００が撮像している画像と画像切り出し部１６０が切り出した複数の画像とを表示させるものであっても良い。
【００９５】
その後、画像取り込み部１５２は、表示部３００に表示されている複数の画像について、選択がなされたかどうかを判定する（ステップＳ３４）。
【００９６】
図１８は、画像切り出し部１６０が切り出した複数の画像が表示部３００に表示された様子の一例を示す図である。
【００９７】
図１８に示すように、撮像部２００が撮像している画像から切り出された６つの画像が表示されている。ここで、それぞれの画像の左上の隅にチェックボックス５５０−１〜５５０−６がそれぞれ表示されている。このチェックボックスの表示位置は、それぞれの画像の右上の隅や、画像の枠外の当該画像に隣接した位置等、それぞれのチェックボックスがどの画像に対応するものかを認識できる位置であれば良い。このように表示されたチェックボックス５５０−１〜５５０−６のうち、撮像者の指が接触（近接）したことを検知した位置に表示されているチェックボックスが含まれている画像が選択される。図１８に示した例では、チェックボックス５５０−２，５５０−５がそれぞれ含まれる２つの画像が選択される。
【００９８】
図１９は、図１６に示した画像切り出し部１６０が切り出した複数の画像が表示部３００に表示された様子の他の例を示す図である。
【００９９】
図１９に示すように、撮像部２００が撮像している画像から切り出された３つの画像が表示されている。図１９に示した例では、被写体である人物に対して互いに異なる画角となる３つの画像が表示されている。ここで、それぞれの画像の左上の枠の外にチェックボックス５５１−１〜５５１−３がそれぞれ表示されている。このチェックボックスの表示位置は、それぞれのチェックボックスがどの画像に対応するものかを認識できる位置であれば良い。このように表示されたチェックボックス５５１−１〜５５１−３のうち、撮像者の指が接触（近接）したことを検知した位置に表示されているチェックボックスが含まれている画像が選択される。図１９に示した例では、チェックボックス５５１−２，５５１−３に対応する２つの画像が選択される。
【０１００】
画像取り込み部１５２が、表示部３００に表示されている複数の画像について、選択がなされたと判定した場合、画像取り込み部１５２は、選択された画像を記憶すべき画像に設定する（ステップＳ３５）。
【０１０１】
その後、画像取り込み部１５２は、電子機器１２が画像を取り込むための所定の操作を受け付けたかどうかを判定する（ステップＳ３６）。例えば、画像取り込み部１５２は、前述したようなシャッターボタンが押下されたかどうかを判定する。
【０１０２】
画像取り込み部１５２は、当該操作を受け付けたと判定した場合、撮像部２００が撮像している画像（撮像部２００が撮像している画像をライブビュー画面として表示部３００が表示している場合、その表示されている画像）と、ステップＳ３５で設定された画像とを記憶部４００に書き込んで記憶させる（ステップＳ３７）。
【０１０３】
一方、画像取り込み部１５２が、表示部３００に表示されている複数の画像について、選択がなされたと判定しないまま（ステップＳ３４のＮｏ）、電子機器１２が画像を取り込むための操作を受け付けたと画像取り込み部１５２が判定した場合は（ステップＳ３６のＹｅｓ）、ステップＳ３５の選択画像の設定は行われず、ステップＳ３７の画像の記憶処理が行われる。この場合に記憶される画像は、主画像のみであっても良いし、主画像およびステップＳ３３にて切り出されたすべての画像であっても良い。
【０１０４】
また、ステップＳ３６にて、電子機器１２が画像を取り込むための操作を受け付けたと画像取り込み部１５２が判定しなかった場合は、ステップＳ３４の処理が行われる。
【０１０５】
このように、カメラ撮影時のライブビュー画面から、複数の画像を切り出して表示し、その表示にしたがって、記憶させる副画像を撮像者が選択できるように構成することで、主画像と同時撮影する画像を任意に選択することが可能となる。
【０１０６】
なお、電子機器１０，１１，１２は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機、デジタルカメラ等の電子機器である。
【０１０７】
また、撮像制御装置１００，１０１，１０２それぞれに設けられた各構成要素が行う処理は、目的に応じてそれぞれ作製された論理回路で行うようにしても良い。また、処理内容を手順として記述したコンピュータプログラム（以下、プログラムと称する）を撮像制御装置１００，１０１，１０２それぞれにて読取可能な記録媒体に記録し、この記録媒体に記録されたプログラムを撮像制御装置１００，１０１，１０２それぞれに読み込ませ、実行するものであっても良い。撮像制御装置１００，１０１，１０２それぞれにて読取可能な記録媒体とは、フロッピー（登録商標）ディスク、光磁気ディスク、ＤＶＤ、ＣＤなどの移設可能な記録媒体の他、撮像制御装置１００，１０１，１０２それぞれに内蔵されたＲＯＭ、ＲＡＭ等のメモリやＨＤＤ等を指す。この記録媒体に記録されたプログラムは、撮像制御装置１００，１０１，１０２それぞれに設けられたＣＰＵ（不図示）にて読み込まれ、ＣＰＵの制御によって、前述したものと同様の処理が行われる。ここで、ＣＰＵは、プログラムが記録された記録媒体から読み込まれたプログラムを実行するコンピュータとして動作するものである。
【０１０８】
上記の実施の形態の一部または全部は、以下の付記のようにも記載され得るが、以下には限られない。
（付記１）撮像部が撮像している画像を表示部に表示させる表示制御部と、
前記撮像部が撮像している画像から特定の被写体を判別する被写体判別部と、
前記被写体判別部における判別の結果に基づいて、前記表示部にガイド表示を表示させるガイド表示部と、
前記ガイド表示を変更させるための所定の操作に応じて、前記ガイド表示のサイズと位置との少なくとも一方を変更するガイド表示変更部と、
前記画像を取り込むための所定の操作を受け付けたとき、前記表示部が表示している第１の画像と、前記ガイド表示に囲まれた第２の画像とを記憶部に記憶させる画像取り込み部とを有する撮像制御装置。
（付記２）前記ガイド表示部は、前記ガイド表示変更部が前記ガイド表示のサイズを変更した場合、該変更後のサイズを示すサイズ情報を前記表示部に表示させる、付記１に記載の撮像制御装置。
（付記３）前記ガイド表示部は、前記サイズ情報を、前記サイズを変更した後、所定の時間、前記表示部に表示させる、付記２に記載の撮像制御装置。
（付記４）前記表示部がタッチパネル機能を具備している場合、前記表示制御部は、前記画像を取り込むための操作を受け付けるシャッターボタン表示を前記表示部に表示させる、付記１から３のいずれか１項に記載の撮像制御装置。
（付記５）前記被写体判別部は、顔認識機能を用いて前記被写体を判別する、付記１から４のいずれか１項に記載の撮像制御装置。
（付記６）撮像部が撮像している画像を表示部に表示させる処理と、
前記撮像部が撮像している画像から特定の被写体を判別する処理と、
前記判別の結果に基づいて、前記表示部にガイド表示を表示させる処理と、
前記ガイド表示を変更させるための所定の操作に応じて、前記ガイド表示のサイズと位置との少なくとも一方を変更する処理と、
前記画像を取り込むための所定の操作を受け付けたとき、前記表示部が表示している第１の画像と、前記ガイド表示に囲まれた第２の画像とを記憶部に記憶させる処理とを行う撮像制御方法。
（付記７）コンピュータに、
撮像部が撮像している画像を表示部に表示させる手順と、
前記撮像部が撮像している画像から特定の被写体を判別する手順と、
前記判別の結果に基づいて、前記表示部にガイド表示を表示させる手順と、
前記ガイド表示を変更させるための所定の操作に応じて、前記ガイド表示のサイズと位置との少なくとも一方を変更する手順と、
前記画像を取り込むための所定の操作を受け付けたとき、前記表示部が表示している第１の画像と、前記ガイド表示に囲まれた第２の画像とを記憶部に記憶させる手順とを実行させるためのプログラム。
（付記８）撮像部と、
表示部と、
記憶部と、
前記撮像部が撮像している画像を前記表示部に表示させる表示制御部と、
前記撮像部が撮像している画像から特定の被写体を判別する被写体判別部と、
前記被写体判別部における判別の結果に基づいて、前記表示部にガイド表示を表示させるガイド表示部と、
前記ガイド表示を変更させるための所定の操作に応じて、前記ガイド表示のサイズと位置との少なくとも一方を変更するガイド表示変更部と、
前記画像を取り込むための所定の操作を受け付けたとき、前記表示部が表示している第１の画像と、前記ガイド表示に囲まれた第２の画像とを前記記憶部に記憶させる画像取り込み部とを有する電子機器。
（付記９）撮像部が撮像している画像から、表示範囲が互いに異なる複数の画像を切り出す画像切り出し部と、
前記画像切り出し部が切り出した複数の画像を表示部に表示させる表示制御部と、
前記表示された複数の画像のうち、所定の操作に応じて選択された画像を記憶部に記憶させる画像取り込み部とを有する撮像制御装置。
【符号の説明】
【０１０９】
１０，１１，１２    電子機器
１００，１０１，１０２    撮像制御装置
１１０，１１１，１１２    表示制御部
１２０    被写体判別部
１３０，１３１    ガイド表示部
１４０    ガイド表示変更部
１５０，１５１，１５２    画像取り込み部
１６０    画像切り出し部
２００    撮像部
３００    表示部
４００    記憶部
５００    ガイド表示
５１０    サイズ情報
５２０    ズーム操作アイコン
５３０，５３１    シャッターアイコン
５４０    設定アイコン
５５０−１〜５５０−６，５５１−１〜５５１−３    チェックボックス
【図１】
2014236405.tif 000003
【図２】
2014236405.tif 000004
【図３】
2014236405.tif 000005
【図４】
2014236405.tif 000006
【図５】
2014236405.tif 000007
【図６Ａ】
2014236405.tif 000008
【図６Ｂ】
2014236405.tif 000009
【図７】
2014236405.tif 000010
【図８Ａ】
2014236405.tif 000011
【図８Ｂ】
2014236405.tif 000012
【図９】
2014236405.tif 000013
【図１０】
2014236405.tif 000014
【図１１】
2014236405.tif 000015
【図１２】
2014236405.tif 000016
【図１３】
2014236405.tif 000017
【図１４】
2014236405.tif 000018
【図１５】
2014236405.tif 000019
【図１６】
2014236405.tif 000020
【図１７】
2014236405.tif 000021
【図１８】
2014236405.tif 000022
【図１９】
2014236405.tif 000023